【手続補正書】
【提出日】平成15年6月4日(2003.6.4)
【手続補正１】
【補正対象書類名】明細書
【補正対象項目名】特許請求の範囲
【補正方法】変更
【補正の内容】
【特許請求の範囲】
【請求項１】
少なくとも以下の成分、
Ｉ  酸性基によって改質された水又は水溶性液体吸収性の天然ポリマー又は少なくとも部分的に中和された酸性基を含むモノマーを重合して得られた、表面が架橋されていてもよい、水に不溶性で、かつ水又は水溶性液体吸収性の架橋ポリマー及び
ＩＩ  含窒素非イオン性界面活性剤により形成されたグループから選ばれる少なくとも一種のコーティング剤
からなり、上記成分Ｉは成分ＩＩによって処理されたものでありかつ成分Ｉと成分ＩＩによって形成された混合物が熱処理されたものであることを特徴とする湿潤な環境及び／又は高温度において低い固化傾向を有する高膨張性吸収媒体。
【請求項２】
界面活性剤が次の一般式（Ｉ）で表される少なくとも１つの化合物であることを特徴とする請求項１に記載の吸収媒体。
【化１】
2004512165.tif 000001
式（Ｉ）において、
Ｒ１はｚ置換脂肪族基、好ましくは飽和又は不飽和で直鎖又は分岐鎖で炭素数１〜３０のアリール基で置換されていてもよいｚ置換脂肪族基；又は酸素、リン、窒素等のヘテロ原子を含んでいてもよい５員環又は６員環と縮合していてもよいｚ置換ベンゼン基であり、
Ｒ２は、水素；脂肪族基；ヒドロキシアルキレン基；又は各アルキレン基中の炭素数が１〜４のＮ，Ｎ−ジヒドロキシアルキレン−アミノ−アルキレン基であり（ただし、前記ヒドロキシアルキレン基中のヒドロキシル基は、末端にあるヒドロキシル基、及び／又は、１〜５０のアルキレンオキサイド単位でアルコキシル化されたヒドロキシル基であり、前記ヒドロキシル基はカルボン酸でエステル化されていてもよい。また、前記ヒドロキシアルキレン基中のアルキレン基は、炭素数１〜８の炭化水素基を示す。）、
Ｒ３は、同一であっても、異なっていてもよく、Ｒ２と同一の意味を有し（ただし、一般式Ｉで表される化合物がアミド化合物であるときには、Ｒ２又はＲ３のいずれかは、ヒドロキシアルキレン基又はアルコキシル化されたヒドロキシアルキレン基を示し、この場合、該ヒドロキシアルキレン基は上記Ｒ２の定義に従ってエステル化されていてもよく、又はアルコキシル化されていてもよい。）、
ｎは０又は１であり、
ｚは１〜４の整数である。
【請求項３】
ポリマーＩが表面架橋されたものであることを特徴とする請求項１又は請求項２に記載の吸収媒体。
【請求項４】
コーティング剤ＩＩの含有量が５０〜５０，０００ｐｐｍであることを特徴とする請求項１〜３のいずれかに記載の吸収媒体。
【請求項５】
コーティングされた成分Ｉが１００〜２５０℃の温度で熱処理されることを特徴とする請求項１〜４のいずれかに記載の吸収媒体。
【請求項６】
請求項１〜４のいずれかに記載の吸収媒体、又は少なくとも次の成分、
Ｉ  酸性基によって改質された水又は水溶性液体吸収性の天然ポリマー又は少なくとも部分的に中和された酸性基を含むモノマーを重合して得られた、表面が架橋されていてもよい、水に不溶性で、かつ水又は水溶性液体吸収性の架橋ポリマー及び、
ＩＩ  含窒素非イオン性界面活性剤により形成されたグループから選ばれる少なくとも一種のコーティング剤
からなり、上記成分Ｉは成分ＩＩによって処理されたものでありかつ成分Ｉと成分ＩＩによって形成された混合物が熱処理されたものであり、更に少なくとも１種のルイス酸をコーティング剤ＩＩＩとして用いることを特徴とする吸収媒体。
【請求項７】
コーティング剤ＩＩ及びＩＩＩの使用量が合計で１００〜５０，０００ｐｐｍであることを特徴とする請求項６に記載の吸収媒体。
【請求項８】
コーティングされた成分Ｉが４０〜２５０℃の温度で熱処理されることを特徴とする請求項６又は７に記載の吸収媒体。
【請求項９】
成分Ｉをコーティング剤ＩＩ及びＩＩＩの水溶液でコーティングした後に反応させることを特徴とする請求項６〜８のいずれかに記載の吸収媒体。
【請求項１０】
コーティング剤ＩＩが、アルコキシル化又はエステル化されていてもよい、請求項１に記載する式Ｉの脂肪酸アルカノールアミド又は脂肪酸アミンであることを特徴とする請求項６〜８のいずれかに記載の吸収媒体。
【請求項１１】
コーティング剤ＩＩが、ラウリン酸モノエタノールアミド、ココナッツ酸モノエタノールアミド、ステアリン酸モノエタノールアミド、リシニン酸モノエタノールアミド、ウンデシレン酸モノエタノールアミド、ラウリン酸ジエタノールアミド、ココナッツ酸ジエタノールアミド、大豆酸ジエタノールアミド、リノール酸ジエタノールアミド、ラウリルミリスチン酸ジエタノールアミド、オレイン酸ジエタノールアミド、ラウリン酸イソプロパノールアミド、ココナッツ酸イソプロパノールアミド、オレイン酸イソプロパノールアミド、ウンデシレン酸ポリジエタノールアミド、ココナッツ酸ポリジエタノールアミド、ステアリルアミン、ステアリルプロピレンジアミン、ココナッツ酸アミン、ラウリルアミン、オレイルアミン、ステアリルアミン、牛脂酸アミン；１〜５０のエチレンオキサイド単位及び／又はプロピレンオキサイド単位を含む、これらの化合物のエトキシ化及び／又はプロポキシ化誘導体、並びにこれらの化合物のエステルから選ばれた少なくとも１種の化合物であることを特徴とする請求項１〜１０のいずれかに記載の吸収媒体。
【請求項１２】
ルイス酸ＩＩＩが無機酸、水溶性の飽和又は不飽和有機酸、水溶性の炭化水素酸、又は水溶性の酸の塩であることを特徴とする請求項６〜１０のいずれかに記載の吸収媒体。
【請求項１３】
ルイス酸がＨＣｌ、Ｈ２ＳＯ４、セレン酸、リン酸、ＨＮＯ３、Ｈ２ＳＯ２、Ｈ２ＳＯ３、ＨＣｌＯ３、ＨＢｒ、アクリル酸、メタクリル酸、ギ酸、酢酸、プロピオン酸、酪酸、シュウ酸、マロン酸、コハク酸、乳酸、マレイン酸、フマル酸、安息香酸、フタル酸、サリチル酸、酒石酸、クエン酸、ｐ−、ｍ−、又はｏ−トルエンスルホン酸、ベンゼンスルホン酸、アミノメタンスルホン酸、アミノメタンホスホン酸、アルミニウム、鉄、亜鉛、アンチモン、ヒ素、錫、銅、マグネシウム、カルシウム、クロム、ガリウム、バナジウム、チタン、ビスマス、タリウム、インジウム、マンガン、ニッケル、コバルト、ベリリウム或いはジルコニウムの水溶性臭酸塩、塩酸塩、硝酸塩、硫酸塩、リン酸塩、酢酸塩、ギ酸塩、シュウ酸塩又は乳酸塩、又はこれらの化合物の２以上の混合物であることを特徴とする請求項１２に記載の吸収媒体。
【請求項１４】
ルイス酸が硫酸、リン酸、ギ酸、酢酸、クエン酸或いはｐ−トルエンスルホン酸、アルミニウム塩、ミョウバン及び／又はそれらの水和物、亜鉛塩及び／又はその水和物、マグネシウム塩及び／又はその水和物、及び／又は複塩であることを特徴とする請求項１３に記載の吸収媒体。
【請求項１５】
コーティングされる成分Ｉが粉体であることを特徴とする請求項１〜１４のいずれかに記載の吸収媒体。
【請求項１６】
ポリマーが、カルボキシル基の少なくとも５０モル％が中和された（メタ）アクリル酸系のポリマーであることを特徴とする請求項１〜１５のいずれかに記載の吸収媒体。
【請求項１７】
成分Ｉが、酸性基によって改質された水又は水溶性液体吸収性の天然ポリマー、又は少なくとも部分的に中和された酸性基を含むモノマーを重合して得られた水又は水溶性液体吸収性の架橋ポリマーであり、該成分Ｉを含窒素非イオン性界面活性剤により形成されたグループから選ばれる少なくとも一種のコーティング剤を成分ＩＩとして、及び、所望により、ルイス酸を成分ＩＩＩとして用いてコーティングし、更に、混合物を熱処理して請求項１〜１６のいずれかに記載の吸収媒体を得ることを特徴とする吸収媒体の製造方法。
【請求項１８】
コーティング剤の水溶液を成分Ｉと混合することを特徴とする請求項１７に記載の製造方法。
【請求項１９】
ポリマーを表面架橋処理する前後又は表面架橋処理中に、成分ＩＩ及び、所望により、成分ＩＩＩの水溶液で加熱処理することを特徴とする請求項１７又は請求項１８に記載の製造方法。
【請求項２０】
成分ＩＩ及び、所望により使用される成分ＩＩＩの水溶液での処理をポリマーの表面架橋と同時に行うことを特徴とする請求項１７〜１９のいずれかに記載の製造方法。
【請求項２１】
成分Ｉと成分ＩＩの混合物を１５０〜２５０℃で熱処理することを特徴とする請求項１７〜２０のいずれかに記載の製造方法。
【請求項２２】
成分Ｉ、成分ＩＩ及び成分ＩＩＩの混合物を４０〜２５０℃で熱処理することを特徴とする請求項１７〜２０のいずれかに記載の製造方法。
【請求項２３】
請求項１７〜２２のいずれかに記載の製造方法により製造された吸収媒体。
【請求項２４】
水又は水溶性若しくは漿液性の液体を吸収するための複合材料における請求項１〜１６又は２３のいずれかに記載の吸収媒体の使用。
【請求項２５】
衛生用品としての請求項１〜１６又は２３のいずれかに記載の吸収媒体の使用。
【請求項２６】
ケーブル・シース又はパッケージとしての請求項１〜１６又は２３のいずれかに記載の吸収媒体の使用。
【請求項２７】
床又は基板における水貯蔵手段としての請求項１〜１６又は２３のいずれかに記載の吸収媒体の使用。
【請求項２８】
栄養素と活性剤を蓄えると共にこれらを制御して放出するための用途における請求項１〜１６又は２３のいずれかに記載の吸収媒体の使用。
【請求項２９】
請求項１〜１６又は２３のいずれかに記載の吸収媒体を好ましくは複合体として含むか、
又は少なくとも次の成分、
Ｉ  酸性基によって改質された水又は水溶性液体吸収性の天然ポリマー又は少なくとも部分的に中和された酸性基を含むモノマーを重合して得られた、表面が架橋されていてもよい、水に不溶性で、かつ水又は水溶性液体吸収性の架橋ポリマー及び、
ＩＩ  含窒素非イオン性界面活性剤により形成されたグループから選ばれる少なくとも一種のコーティング剤
からなり、上記成分Ｉは成分ＩＩによって処理されたものでありかつ成分Ｉと成分ＩＩによって形成された混合物が熱処理されたものであり、これにより吸収媒体が少なくとも３時間の熱処理後は耐固化性を示さない吸収媒体を含む
ことを特徴とするおむつ、成人の失禁用品、女性用の衛生用品。